(57)【要約】【課題】線材からなる押さえ部材側に筆記具等のオプションを簡単に保持させることができるようにすること。【解決手段】用箋挟１０は、書類Ｓの支持面１１Ａを形成するプレート部材１１と、このプレート部材１１の後端部側に回転可能に支持された押さえ部材１３とを備えて構成されている。押さえ部材１３は線材により形成されている。押さえ部材１３には、オプション保持装置１５が装着されている。オプション保持装置１５は、押さえ部材１３に係り合う係り合い部２１，２１と、当該係り合い部２１，２１に連なってオプションＯを保持可能な保持部２２とを備えている。【選択図】図２
2008049579.tif 000002
【特許請求の範囲】
【請求項１】
書類等の支持面を形成するプレート部材と、このプレート部材の端部側に回転可能に支持されているとともに、線材により形成された押さえ部材とを備えた用箋挟において、
前記押さえ部材には、オプション保持装置が装着され、このオプション保持装置は、押さえ部材に係り合う係り合い部と、この係り合い部に連なるとともに、所定のオプションを保持可能に設けられた保持部とを備えていることを特徴とする用箋挟。
【請求項２】
前記押さえ部材は、前記書類に接して押さえ力を付与可能な押圧部を自由端側に備え、
前記係り合い部は、前記押圧部をカバーする形状に形成され、その外周側には前記書類に当接可能な滑り防止部が設けられていることを特徴とする請求項１記載の用箋挟。
【請求項３】
前記オプション保持装置は、樹脂製の一体成形品により構成されていることを特徴とする請求項１又は２記載の用箋挟。
【請求項４】
プレート部材に回転可能に支持されるとともに、線材により形成された押さえ部材に装着可能なオプション保持装置であって、
前記押さえ部材に係り合う係り合い部と、この係り合い部に連なるとともに、所定のオプションを保持可能に設けられた保持部とを備えていることを特徴とするオプション保持装置。
【発明の詳細な説明】
【技術分野】
【０００１】
本発明は、用箋挟及びこれに用いられるオプション保持装置に係り、更に詳しくは、筆記具等のオプションを保持することができる用箋挟及びこれに用いられるオプション保持装置に関する。
【背景技術】
【０００２】
従来より、書類等の支持面をなす略方形のプレート部材の一端部に押さえ部材を回転可能に設けた用箋鋏が知られている（例えば、特許文献１参照）。この用箋挟は、支持面のコーナー領域に筆記具等を保持するための保持装置を備えており、用箋挟と筆記具とを一体的に取り扱うことができるようになっている。
【０００３】
【特許文献１】特許第３７５２２２６号公報
【特許文献２】実用新案登録第２６０４１３１号公報
【特許文献３】実公平２−３０３０４号公報
【発明の開示】
【発明が解決しようとする課題】
【０００４】
しかしながら、特許文献１にあっては、筆記具を保持装置に保持させたときに、プレート部材上の書類と筆記具とが重なる場合がある。これにより、書類が筆記具の上に重なった場合、保持装置から筆記具を取り外すときに、書類を捲ったり、押さえ部材から書類を取り外す作業が必要となり、当該作業が煩雑になるという不都合を生じる。また、筆記具が書類上に重なった場合には、その領域の書類の内容が見えなくなり、使い勝手が低下するという不都合を招来する。
【０００５】
ところで、他のタイプの用箋挟として、特許文献２に開示されるように、押さえ部材の上面側に筆記具の保持装置を設けたものが知られている。また、用箋挟としては、押さえ部材を線材により形成したもの（例えば、特許文献３参照）が広く普及するに至っている。
【０００６】
ここで、仮に、特許文献３の押さえ部材に、特許文献２の保持装置を装着できることが好ましいが、特許文献２では、押さえ部材と保持装置とを連結するため、それら両方に特別な嵌合構造を設けることが不可欠となるので、前記装着を行えなくなるという不都合がある。
【０００７】
［発明の目的］
本発明は、このような不都合に着目して案出されたものであり、その目的は、線材からなる押さえ部材側にオプションを簡単に保持させることができ、オプションを保持した際の使い勝手を向上することができる用箋挟及びこれに用いられるオプション保持装置を提供することにある。
【課題を解決するための手段】
【０００８】
前記目的を達成するため、本発明は、書類等の支持面を形成するプレート部材と、このプレート部材の端部側に回転可能に支持されているとともに、線材により形成された押さえ部材とを備えた用箋挟において、
前記押さえ部材には、オプション保持装置が装着され、このオプション保持装置は、押さえ部材に係り合う係り合い部と、この係り合い部に連なるとともに、所定のオプションを保持可能に設けられた保持部とを備える、という構成を採っている。
【０００９】
本発明において、前記押さえ部材は、前記書類に接して押さえ力を付与可能な押圧部を自由端側に備え、
前記係り合い部は、前記押圧部をカバーする形状に形成され、その外周側には前記書類に当接可能な滑り防止部が設けられる、という構成が好ましくは採用される。
【００１０】
また、前記オプション保持装置は、樹脂製の一体成形品により構成されることが好ましい。
【００１１】
更に、本発明のオプション保持装置は、プレート部材に回転可能に支持されるとともに、線材により形成された押さえ部材に装着可能なオプション保持装置であって、
前記押さえ部材に係り合う係り合い部と、この係り合い部に連なるとともに、所定のオプションを保持可能に設けられた保持部とを備える、という構成を採っている。
【発明の効果】
【００１２】
本発明によれば、前述した特許文献１のように、プレート部材上でオプションである筆記具と書類とが重なることを回避しながらオプションを保持することができる。
【００１３】
また、係り合い部に滑り防止部を設けたので、押さえ部材を介して押さえられた書類の不用意なる位置ずれを防止することが可能となる。
【００１４】
更に、オプション保持装置を一体成形品とした場合、部品点数を抑制することができる他、オプション保持装置を廉価に量産してコスト的な負担も軽減でき、更に、強度的にも支障なく利用することができる。
【発明を実施するための最良の形態】
【００１５】
以下、本発明の実施の形態を図面を参照しながら説明する。
なお、本明細書及び特許請求の範囲における方向若しくは位置を示す用語は、特に明示しない限り、図１中矢印Ａ方向から見た場合を基準とし、「前」とは矢印Ａ方向から見た場合の手前側を示す一方、「後」とは、同奥行き側について用いられる。
【００１６】
図１には、実施形態に係る用箋挟の要部概略斜視図が示され、図２には、その分解斜視図が示されている。これらの図において、用箋挟１０は、書類等の支持面１１Ａを形成する略方形のプレート部材１１と、このプレート部材１１の後端部側にベース部材１２を介して支持された押さえ部材１３と、この押さえ部材１３に装着されたオプション保持装置１５とを備えて構成されている。
【００１７】
前記押さえ部材１３は、丸軸状をなす一本の金属製の線材を曲げ加工することにより形成されている。押さえ部材１３は、前記ベース部材１２後部の隆起部１２Ａから前方に延びる左右一対の側部１７，１７と、これら側部１７，１７の前端部間に延びる押圧部１８と、この押圧部１８の中間領域を部分的に上方に突出するように屈曲形成された指掛け部１９とを備えている。
【００１８】
前記各側部１７，１７の後端側は、隆起部１２Ａに回転可能にそれぞれ支持されているとともに、隆起部１２Ａの内部に組み込まれた図示しないばね部材に連結されている。従って、前記オプション保持装置１５を押さえ部材１３から取り外した場合、押圧部１８が押さえ部材１３の自由端となって前記支持面１１Ａ上の書類に接触するとともに、前記ばね部材の付勢力により押圧部１８から書類に押さえ力を付与するようになっている。指掛け部１９は、その下面側に指先を引っ掛け可能に設けられており、これにより、押圧部１８が上昇するように押さえ部材１３を回転操作可能となる。
【００１９】
前記オプション保持装置１５は、適宜な樹脂材を用いた一体成形品により構成されている。オプション保持装置１５は、前記押圧部１８に着脱自在に係り合う左右一対の係り合い部２１，２１と、各係り合い部２１，２１の間に連なる保持部２２とを備え、筆記具等のオプションＯを保持可能に設けられている。
【００２０】
前記各係り合い部２１，２１は、図３及び図４に示されるように、押圧部１８を抱き込むようにカバーする形状に設けられている。具体的には、係り合い部２１は、押圧部１８に沿って延びる円筒体の下部に、押圧部１８の通過を許容する隙間２３を設けた断面視Ｃ字状に形成されている。隙間２３は、前後一対の隙間形成面２３Ａ，２３Ａにより、外方に向かうに従って次第に幅広となる形状に形成されている。
【００２１】
前記係り合い部２１の下部外周側には、二条のリブからなる滑り防止部２４が設けられている。この滑り防止部２４は、図３中紙面直交方向に延びるとともに、下端側が書類Ｓの上面側に食い込むようになっており、書類Ｓとの不用意なる位置ずれを防止することが可能となる。
【００２２】
前記保持部２２は、図２及び３に示されるように、前記指掛け部１９の後部の領域に位置しており、指掛け部１９の上部及び後部を覆うカバー部２６と、このカバー部２６の下端側に連なって斜め後方に延びるとともに、押さえ部材１３の内側領域に位置する底部２７と、この底部２７に連なる半円弧状の断面形状をなす円弧状部２８と、この円弧状部２８の上端側に連なるとともに、前方に向かうに従って上方に傾斜する挟持部３０とを備え、内側に前記オプションＯを受容可能なスペース３１を形成している。保持部２２は、挟持部３０の上端が図３中矢印Ｒ方向に揺動するように円弧状部２８及びその隣接領域が弾性変形可能となっている。
【００２３】
前記カバー部２６は、図１に示されるように、前方に台形状をなす開放部２６Ａを形成しており、この開放部２６Ａを通じて指掛け部１９に指先をアクセスすることが可能となる。底部２７には、成形時の脱型を容易に行うための抜き穴２７Ａが形成されている。挟持部３０の上端内面側には、断面視半円弧状をなす膨出部３２が形成され、この膨出部３２とカバー部２６との間に、前記スペース３１へのオプションＯの出し入れを許容する通路３３が形成される。また、挟持部３０には、その内面から突出する突条部３５が形成されている。突条部３５は、図３中紙面直交方向に所定間隔を隔てて複数設けられ、オプションＯとの摩擦抵抗を高めるようになっている。
【００２４】
以上の構成において、押さえ部材１３にオプション保持部材１５を装着する場合、係り合い部２１の隙間２３内に押圧部１８を位置した状態で、係り合い部２１を押圧部１８側に押し込めばよい。これにより、押圧部１８が各隙間形成面２３Ａ，２３Ａを滑って隙間２３を拡げながら当該隙間２３を通過した後、係り合い部２１の内部に押圧部１８が受容されて係り合うこととなる。なお、オプション保持部材１５の取り外しは、押圧部１８から係り合い部２１を引き剥がすように強制的な外力を付与することにより行われる。
【００２５】
ところで、支持面１１Ａ上の書類Ｓは押さえ部材１３を介して押さえ力が付与されるが、押さえ部材１３にオプション保持部材１５を装着した状態では、図３に示されるように、前記滑り防止部２４が書類Ｓの上面に当接し、書類Ｓの位置規制を図るようになっている。
【００２６】
また、オプション保持部材１５にオプションＯを保持させる場合、前記保持部２２の通路３３を通じてスペース３１内にオプションＯを押し込めばよい。この際、挟持部３０が図３中矢印Ｒ方向に揺動するとともに、オプションＯの径方向に沿って挟み込み力を付与し、オプションＯの移動が規制されて保持されることとなる。一方、オプション保持部材１５からオプションＯを取り外す場合、オプションＯを掴み、通路３３側に向かって強制的に引っ張ることにより、スペース３１からオプションＯを抜き出すことができる。
【００２７】
従って、このような実施形態によれば、オプション保持装置１５を介して押さえ部材１３の上方にオプションＯを容易且つ迅速に保持させることができる。また、係り合い部２１は、線材からなる押さえ部材１３に係り合う形状に設けられているので、広く普及している用箋挟にオプション保持装置１５を簡単且つ迅速に後付けすることができ、オプション保持装置の汎用性を高め、用箋挟に利便性を簡単に付与することが可能となる。
【００２８】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した構成は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、前記オプションＯは、種々の変更が可能であり、消しゴムや定規、カッターナイフ等が例示できる。この場合、保持部２２は、オプションＯの形態に応じて当該オプションＯを着脱自在に保持可能な構造とすればよい。
また、前記係り合い部２１は、押さえ部材１３に係り合い可能である限りにおいて、種々の設計変更が可能であるが、前述した形状とすれば、前記滑り防止部２４の形成領域を稼ぐことができる点で有利となる。
【００３０】
更に、オプション保持装置１５は、種々の設計変更が可能であり、図５に示される構成としてもよい。同図において、係り合い部２１は、指掛け部１９に係り合い可能に設けられている一方、保持部２２の後部には、前記隆起部１２Ａに相対回転可能に嵌り合う回転支持部３７が連なって設けられている。
【００３１】
また、押さえ部材１３の支持面１１Ａに対する取り付け位置は変更してもよく、例えば、中央で折り畳み可能なプレート部材１１の支持面１１Ａにおける面内中央領域に設けてもよい。
【図面の簡単な説明】
【００３２】
【図１】実施形態に係る用箋挟の要部概略斜視図。
【図２】図１の分解斜視図。
【図３】図１のＢ−Ｂ線に沿う拡大断面図。
【図４】図２のＣ−Ｃ線に沿う拡大断面図。
【図５】変形例に係る用箋挟の図２と同様の分解斜視図。
【符号の説明】
【００３３】
１０  用箋挟
１１  プレート部材
１１Ａ  支持面
１３  押さえ部材
１５  オプション保持装置
１８  押圧部
２１  係り合い部
２２  保持部
２４  滑り防止部
Ｏ  オプション
Ｓ  書類
【図１】
2008049579.tif 000003
【図２】
2008049579.tif 000004
【図３】
2008049579.tif 000005
【図４】
2008049579.tif 000006
【図５】
2008049579.tif 000007